(57)【要約】      （修正有）【課題】電子部品供給ユニットのカバーテープ巻取リールに巻き付いたカバーテープを簡単に取外すことを簡単に可能とする。【解決手段】電子部品供給ユニットのカバーテープ巻取リール蓋部巻芯部に異なった傾斜角度を有し、且つ巻芯部より幾分広めにした弾性変形可能な素材を使用したカバーテープ巻取リング２種類を二重に重ねて取付けその上面部にカバーテープを巻取ることを可能にし、カバーテープ巻取リングの片側を滑らせカバーテープと共に外す。【選択図】図４
0003102105.tif 000002
【実用新案登録請求の範囲】
【請求項１】
カバーテープ１０（図４）の一端が掛止可能になっており、且つ２分割できる巻取リールの巻芯部４ｄ（図１）に取り外し可能な異なった傾斜角度（テーパー状）を有し、また、巻芯部の幅よりも幾分広めにしてある切れ目の付いた弾性変形可能な素材を使用したリング二種類を二重に嵌合してある事を特徴とするカバーテープ巻取リング１（図２）。
【考案の詳細な説明】
【技術分野】
【０００１】本発明は電子部品供給方法および装置に関するものであり、特に、電子部品供給ユニットに対する電子部品供給時間を向上するためのカバーテープ巻取リング関する。
【背景技術】
【０００２】従来、カバーテープを巻取る可能なリールを備える電子部品供給ユニットは数々の装置が知られている。たとえば、特開平１１−２３８９９９号公報等に記載されている技術である。この電子部品供給ユニットは電子部品装着装置に組み込まれる物であり、電子部品が直列に貼着されたベーステープと電子部品をカバーすべくベーステープの電子部品側に貼着されたカバーテープから成るベーステープを前方へ送るテープ送り機構と、テープ送り機構により送られたベーステープからカバーテープを剥離する機構と、カバーテープの先端が掛止可能であり、巻取リール・巻芯部の外周面に剥離されたカバーテープを巻取り、リールを回転させる為のリール駆動機構から構成されている。【０００３】この電子部品供給ユニットの巻取リールの要部側面図を図１に示す。リール駆動機構（不図示）が巻取リール４（図４）を反時計方向へ回転させると、カバーテープ１０（図４）の先端が掛止部４ｃ（図１）に掛止されたカバーテープ１０が巻取リール巻芯部４ｄ（図１）の面に順次巻き取られる。又、カバーテープ１０の一端に結び目を作製し巻取リールの掛止部４ｃに掛止している。もしくは、巻取リール巻芯部４ｄに対して粘着性のあるテープを使用してカバーテープ１０の一端を張付ける等の作業を有す。巻取リール４は、巻取リール蓋部４ａ（図１）と巻取リール本体４ｂ（図１）から構成されている。巻取リール本体４ｂは電子部品供給ユニット９（図４）に取り付けられており取り外すことが出来ないが、巻取リール蓋部４ａは取り外すことが可能である。巻芯部４ｄ及び掛止部４ｃは巻取リール蓋部４ａ側に付随している。
【考案の開示】
【考案が解決しようとする課題】
【０００４】上記従来の巻取リールには次のような課題がある。上記のカバーテープ１０はある程度巻き取った後、カバーテープ１０をリール状部４ｅ（図１）の状態で巻取リール巻芯部４ｄから抜き取り、廃棄される。ところが、カバーテープ１０はしっかりと巻取リール巻芯部４ｄに極めて硬く巻き取られてしまう。従って、巻き取られたリール状部４ｅを巻取リール巻芯部４ｄから抜き取るには大きな力と時間が必要になり、作業性向上の妨げになっている。【０００５】また、カバーテープ１０の一端に結び目を作製し巻取リールの掛止部４ｃに掛止作業、又は、カバーテープ１０の一端を粘着性のあるテープにより巻取リール巻芯部４ｄに張付ける等の作業が発生するので作業性の妨げになっているという課題がある。
【課題を解決するための手段】
【０００６】上記課題を解決するため、本考案は次の構成を備える。巻取リール４は巻取リール蓋部４ａと巻取リール本体４ｂから構成されている。該巻取リール巻芯部４ｄに取り外し可能なカバーテープ巻取リング１を取り付ける。カバーテープ巻取リング１はカバーテープ巻取リング１ａ（図２）とカバーテープ巻取リング１ｂ（図２）から構成されている。カバーテープ巻取リング１ａとカバーテープ巻取リング１ｂは図２のような構造になっており、各々傾斜角度の違ったリングである。傾斜角度の違った二種類のリングを二重に重ね合わせて使用することによって傾斜角度を利用して滑らせ、カバーテープ巻取リング１ａを容易に取り外す事が可能になる。カバーテープ巻取リング１ｂは巻取リール巻芯部４ｄと外径を同一とし、ることによって傾斜角度を利用して滑らせ、カバーテープ巻取リング１ａを容易に取り外す事が可能になる。カバーテープ巻取リング１ｂは巻取リール巻芯部４ｄと外径を同一とし、且、巻芯部４ｄに粘着性のある両面テープ等で接着を施す、カバーテープ巻取リング１ｂが巻芯部４ｄから簡単に外れないような対策をする。【０００７】カバーテープ巻取リング１ａ，カバーテープ巻取リング１ｂは弾性変形可能な材料を使用し、且、カバーテープ巻取リング１ａには図２のような切りかけを入れる。カバーテープ巻取リング１ｂは巻芯部４ｄより幅を多少広くする。例えば、巻芯部４ｄの幅が６ｍｍの場合カバーテープ巻取リング１ｂは７ｍｍのようにする。以上のような手段にてカバーテープ１０がカバーテープ巻取リング１の外周から容易に脱着する事が可能となると共に、掛止部４ｃを使用せずに掛止可能となる。【０００８】該カバーテープ巻取リング１は、巻芯部４ｄの外周に取り付け可能なので、巻取リール４の回転によりカバーテープ１０をカバーテープ巻取リング１の外周に巻取ることができる。カバーテープ１０がカバーテープ巻取リング１に固く巻取られても傾斜角度の異なった二種類のリングを二重に重ね合わせて使用している為、カバーテープ１０がカバーテープ巻取リング１ａと共に簡単に外す事が可能となる。更に、カバーテープ巻取リング１ｂは巻芯部４ｄより幅が広い為、巻取リール本体４ｂと巻取リール蓋部４ａでカバーテープ１０を、カバーテープ巻取リング１ｂを使用して挟み込む事が可能となる。また、カバーテープ巻取リング１ａは弾性変形可能な材料を使用している為、変形させて容易に取り外す事が可能となる。
【考案の効果】
【０００９】本考案に係る電子部品供給ユニット９を用いると、カバーテープ巻取リング１は巻取りール４と共に、外周面上にカバーテープ１０を巻き取ることが可能となり、巻き取った固く巻きつけられたカバーテープ１０を容易に取り外す事が出来る。巻き取ったカバーテープ１０を除去すると共に、新しい電子部品を電子部品供給ユニット９に取り付ける作業効率を格段に向上させることが可能となり、カバーテープ巻取リング１は弾性変形可能な材料で形成されているため、再利用することも可能となる等の利点がある。
【考案を実施するための最良の形態】
【実施例】
【００１０】特に、電子部品装着装置等に組み込まれる電子部品供給ユニット９では、電子部品が直列に貼着されたベーステープ１１と前記電子部品をカバーすべく前記ベーステープ１１の電子部品側に貼着されたカバーテープ１０から成るベーステープ１１を前方へ送るベーステープ送り機構部１４と、該ベーステープ送り機構部１４により送られた前記ベーステープ１１から前記カバーテープ１０を剥離するカバーテープ剥離機構部と、前記カバーテープ１０の先端が掛止可能な巻取リール４と、該巻取リール４に取り外し可能な異なった傾斜角度（テーパー状）のある、切りかけの付いた二種類のカバーテープ巻取リング１を二重に重ね合わせて取り付け、前記リールの外周に取り外し可能な機構とを、具備すると共に上記の各カバー電子部品供給ユニット９において、前記カバーテープ巻取リング１は弾性変形可能な材料で形成する。【００１１】添付図面と共に説明する。なお、本実施例では、電子部品供給ユニット９として電子部品装着装置に組み込まれる電子部品供給ユニット９を例に挙げて説明する。図４には本実施例の電子部品供給ユニット９要部斜面図を示す。図４において、１１はベーステープであり、例えば、ＩＣチップ等の電子部品（不図示）が直列に付着されたベーステープ１１（実線で示す）と、電子部品をカバーすべくベーステープ１１の電子部品側に付着されたカバーテープ１０（一点鎖線で示す）から成る。ベーステープ１１はベーステープリール１５（図４）から供給される。１４、１４ａ（図４）は剥離機構の一例である。レバー１２ａ、１２ｂ、１２ｃ（図４）と巻取レバー６（図４）等から成るベーステープ送り機構部１４がベーステープ１１を前方へ送る。１３は１２ａに連結された引張コイルスプリングで、該引張コイルスプリング１３（図４）はレバー１２ｃに接続された駆動力伝達機構（不図示）を介して電子部品供給ユニット９端部に設けられたベーステープ送り機構部１４（図４）を間欠駆動する動力源として作用する。ベーステープ送り機構部１４にはベーステープリール１５からベーステープ１１が供給され、該ベーステープ送り機構部１４に形成されたカバーテープ剥離機構部１４ａでベーステープ１１からカバーテープ１０が剥離・折り返しされると共に残されたベーステープ１１がベーステープ送り機構部１４によりピッチ送りされて電子部品を電子部品実装装置（不図示）の吸着位置まで供給する。【００１２】ベーステープ送り機構部１４、カバーテープ剥離機構部１４ａにより前方に送られたベーステープ１１からカバーテープ１０をカバーテープ剥離機構部１４ａによって剥離すると共に、カバーテープ１０は巻取リール４にて、カバーテープ１０を反時計方向に巻き取る。該巻取リール４の巻芯部４ｄにカバーテープ巻取リング１ａ，１ｂを取り付け、巻取レバー６と一体で反時計方向にのみ回転可能な構造になっている。レバー１２ａは電子部品実装装置の所定角度回動に到達すると、レバー１２ａ、１２ｂ、１２ｃは引張コイルスプリング１３の付勢力により指定位置に移動する。レバー１２ａが指定位置に移動する際ベーステープ送り機構部１４によりベーステープ１１は所定の長さで送られる。このベーステープ１１の送りにより電子部品を一個づつ電子部品実装装置（不図示）の吸着位置まで送る。その結果、電子部品は電子部品実装装置（不図示）の吸着位置で取り出される。【００１３】ベーステープ１１の送りに伴いカバーテープ先端１６（図１）のように巻取リール４の掛止部４ｃへ掛止されているカバーテープ１０はカバーテープ巻取リング１４ａでベーステープ１１から剥離される。その際、引張コイルスプリング１３により巻取レバー６に反時計方向の付勢力が働き、ベーステープ送り機構部１４は時計方向に回動動作する。このことにより巻取リール４とベーステープ送り機構部１４の間でカバーテープ１０に対してテンションが与えられつつ引かれると共に、巻取リール４の外周にカバーテープ１０が巻き取られる４ｅ（図１の状態）。所定量を超えるカバーテープ１０がカバーテープ巻取リング１ａの外周に巻き取られ、巻取リール４のリール状部４ｅをカバーテープ巻取リング１ａから取り外す必要がある。カバーテープ巻取リング１ａ，１ｂは異なった傾斜角度（テーパー状）のある、切りかけの付いたリングであり、尚且つ、弾性変形可能な材質のため、カバーテープ巻取リング１は二種類を二重に重ね合わせて取り付けた結果、滑らせてカバーテープ１０をカバーテープ巻取リング１ａと共に取り外すことが可能となる。【００１４】カバーテープ１０はカバーテープ巻取リング１ａごと廃棄しても良いし、カバーテープ巻取リング１ａは弾性変形可能な材料を使用している為、繰り返し使用することも可能である。該カバーテープ巻取リング１ｂは巻芯部４ｄより幅を広く作製しているので、巻取リール４は巻取リール蓋部４ａと巻取リール本体４ｂで構成されており、巻取リール蓋部４ａは取り外しが可能である。カバーテープ巻取リング１ｂは巻取リール蓋部４ａと一対になっているので巻取リール本体４ｂとの間にカバーテープ１０を挟みこむようにして巻取リール蓋部４ａと巻取リール本体４ｂを取り付け、取り付ける時の力を使用してカバーテープ１０の一端を巻取リール４に掛止可能となる。【００１５】以上、本考案は上述の実施例に限定されるのではなく、考案の精神を逸脱しない範囲で多くの改変を施し得るのはもちろんである。
【図面の簡単な説明】
【００１６】
【図１】カバーテープ巻取リング取付け後カバーテープ巻取リール蓋部側面図
【図２】カバーテープ巻取リング
【図３】カバーテープ巻取リング取付け後カバーテープ巻取リール組付け図斜面図
【図４】電子部品供給ユニット斜面図
【符号の説明】
【００１７】１                    ：カバーテープ巻取リング
１ａ，１ｂ            ：カバーテープ巻取リング
２                    ：ベーステープリール押さえ
３                    ：保持軸
４                    ：巻取リール
４ａ                  ：巻取リール蓋部
４ｂ                  ：巻取リール本体
４ｃ                  ：掛止部
４ｄ                  ：巻芯部
４ｅ                  ：リール状部
５                    ：支持軸
６                    ：巻取レバー
７                    ：カバーテープ脱落防止版
８                    ：カバーテープ案内ローラー
９                    ：電子部品供給ユニット
１０                  ：カバーテープ
１１                  ：ベーステープ
１２ａ，１２ｂ，１２ｃ：レバー
１３                  ：引張コイルスプリング
１４                  ：ベーステープ送り機構部
１４ａ                ：カバーテープ剥離機構部
１５                  ：ベーステープリール
１６                  ：カバーテープテープ先端
【図１】
0003102105.tif 000003
【図２】
0003102105.tif 000004
【図３】
0003102105.tif 000005
【図４】
0003102105.tif 000006